(57)【要約】【課題】片持ち構造のフレームが塑性変形することを防止できる印字装置を提供すること。【解決手段】印字装置は、筐体と、フレームと、印字部と、上部用紙搬送ガイドと、下部用紙搬送ガイドと、ストッパーと、を備える。フレームは、前記筐体に固定される被支持部を一端側に有する。印字部は、フレームに設けられる。上部用紙搬送ガイドは、前記フレームの下方に設けられる。下部用紙搬送ガイドは、前記上部用紙搬送ガイドとの間に前記印字部で印字される用紙が挿入される隙間を構成する、前記上部用紙搬送ガイドの下方に設けられる。ストッパーは、前記上部用紙搬送ガイドに設けられ、前記被支持部を中心に前記フレームが下方に変形したときに、前記フレームの弾性変形領域で前記下部用紙搬送ガイドと当接する。【選択図】      図４
2018196976.tif 000002
【特許請求の範囲】
【請求項１】
筐体と、
前記筐体に支持される被支持部を一端側に有するフレームと、
前記フレームに設けられた印字部と、
前記フレームの下方に設けられた上部用紙搬送ガイドと、
前記上部用紙搬送ガイドとの間に前記印字部で印字される用紙が挿入される隙間を構成する、前記上部用紙搬送ガイドの下方に設けられる下部用紙搬送ガイドと、
前記上部用紙搬送ガイドに設けられ、前記被支持部を中心に前記フレームが下方に変形したときに、前記フレームの弾性変形領域で前記下部用紙搬送ガイドと当接するストッパーと、
を備える印字装置。
【請求項２】
前記下部用紙搬送ガイドは、前記ストッパーと当接する受け部を有する、請求項１に記載の印字装置。
【請求項３】
前記ストッパーは、前記フレームの他端側の前記上部用紙搬送ガイドの下面に設けられる、請求項２に記載の印字装置。
【請求項４】
前記受け部は、面方向が水平方向に延びる主面を含む、請求項３に記載の印字装置。
【請求項５】
前記ストッパーは、下端が平面状に構成されるとともに、前記上部用紙搬送ガイド及び前記下部用紙搬送ガイドの間の前記隙間において前記用紙が搬送される搬送方向の面が前記搬送方向に対して傾斜する、請求項１乃至請求項４のいずれか一項に記載の印字装置。
【発明の詳細な説明】
【技術分野】
【０００１】
本発明の実施形態は、印字装置に関する。
【背景技術】
【０００２】
小切手やステートメント紙等の幅広の用紙に印字できるように、印字部に用紙の搬送経路の片側に用紙を挿入できる隙間を有するスリットが設けられた印字装置が知られている。このような印字装置は、印字部にスリットを設けるために、印字部が片持ち構造になっており、上方から偶発的な衝撃や荷重が印加された場合に、印字部のフレームが塑性変形する虞がある。
【先行技術文献】
【特許文献】
【０００３】
【特許文献１】特開平５−２７００７９号公報
【発明の概要】
【発明が解決しようとする課題】
【０００４】
そこで本発明が解決しようとする課題は、片持ち構造のフレームが塑性変形することを防止できる印字装置を提供することである。
【課題を解決するための手段】
【０００５】
実施形態の印字装置は、筐体と、フレームと、印字部と、上部用紙搬送ガイドと、下部用紙搬送ガイドと、ストッパーと、を備える。フレームは、前記筐体に固定される被支持部を一端側に有する。印字部は、フレームに設けられる。上部用紙搬送ガイドは、前記フレームの下方に設けられる。下部用紙搬送ガイドは、前記上部用紙搬送ガイドとの間に前記印字部で印字される用紙が挿入される隙間を構成する、前記上部用紙搬送ガイドの下方に設けられる。ストッパーは、前記上部用紙搬送ガイドに設けられ、前記被支持部を中心に前記フレームが下方に変形したときに、前記フレームの弾性変形領域で前記下部用紙搬送ガイドと当接する。
【図面の簡単な説明】
【０００６】
【図１】実施形態に係る印字装置の構成を示す斜視図。
【図２】同印字装置の構成であって、第２印字装置のカバーを外した構成を示す斜視図。
【図３】同印字装置の構成を示す側面図。
【図４】同印字装置の構成を示す正面図。
【図５】同印字装置の要部構成を示す斜視図。
【図６】同印字装置の筐体及びフレームの構成を示す斜視図。
【図７】同フレームの構成を示す斜視図。
【図８】同印字装置に用いられる上部用紙搬送ガイドの構成を示す斜視図。
【図９】同印字装置に用いられる下部用紙搬送ガイドの構成を示す斜視図。
【発明を実施するための形態】
【０００７】
以下、一実施形態に係る印字装置１について図１乃至図９を用いて説明する。  
図１は、本実施形態に係る印字装置１の構成を示す斜視図、図２は、印字装置１の第２印字装置１３のカバー２５を外した構成を示す斜視図である。図３は印字装置１の側面からの構成を、図４は印字装置１の正面からの構成を示す図である。図５は印字装置１の第２印字装置１３の構成を示す斜視図、図６は印字装置１の筐体１１及びフレーム２１の構成を示す斜視図、図７はフレーム２１の構成を示す斜視図、図８は第２印字装置１３の上部用紙搬送ガイド２３の構成を、図９は第２印字装置１３の下部用紙搬送ガイド２４の構成をそれぞれ示す斜視図である。なお、本実施形態において、印字装置１は、第２印字装置１３が設けられた側を正面（前）側、筐体１１が設けられた側を背面（後）側として、以下説明する。
【０００８】
図１乃至図５に示すように、印字装置１は、筐体１１と、筐体１１に設けられた第１印字装置１２と、筐体１１に設けられた第２印字装置１３と、を備えている。印字装置１は、第１印字装置１２によって、ロール紙に印字するとともに、第２印字装置１３によって、幅広の用紙に印字する。このような印字装置１は、例えば、ＰＯＳ端末に用いられる。
【０００９】
筐体１１は、第１印字装置１２及び第２印字装置１３を一体に支持する。筐体１１は、電装品等が内部に収容される。
【００１０】
第１印字装置１２は、例えば、レシート用のロール紙に印字する。第１印字装置１２は、ロール紙を送る送り装置、送られたロール紙を排紙する排紙口、ロール紙に印字するヘッド、ロール紙を切断するカッターユニット等を有する。例えば、ロール紙は感熱紙であり、ヘッドはサーマルヘッドである。
【００１１】
第２印字装置１３は、小切手やステートメント紙等の用紙に印字する。第２印字装置１３は、筐体１１に支持されるフレーム２１と、フレーム２１に保持される印字部２２と、フレーム２１に設けられた上部用紙搬送ガイド２３と、筐体１１に設けられた下部用紙搬送ガイド２４と、フレーム２１の上方を覆うカバー２５と、を備える。
【００１２】
図６及び図７に示すように、フレーム２１は、筐体１１に固定される。フレーム２１は、金属材料により構成される。フレーム２１は、筐体１１に固定される被支持部２１ａと、被支持部２１ａと一端が連続し、印字部２２及び上部用紙搬送ガイド２３を保持する保持部２１ｂと、を備える。
【００１３】
被支持部２１ａは、保持部２１ｂ並びに保持部２１ｂに設けられた印字部２２及び上部用紙搬送ガイド２３を支持する。被支持部２１ａの一部は、例えば、第１印字装置１２のフレームを構成してもよい。
【００１４】
保持部２１ｂは、印字部２２及び上部用紙搬送ガイド２３を保持する。保持部２１ｂの一端側は、被支持部２１ａと一体に構成され、被支持部２１ａを介して筐体１１に固定される。保持部２１ｂの他端は、フリー状態の自由端である。即ち、保持部２１ｂは、所謂片持ち構造で印字部２２及び上部用紙搬送ガイド２３を保持する。
【００１５】
換言すると、フレーム２１は、筐体１１に被支持部２１ａが固定されることで、保持部２１ｂが片持ち構造で印字部２２及び上部用紙搬送ガイド２３を保持する。
【００１６】
印字部２２は、上部用紙搬送ガイド２３及び下部用紙搬送ガイド２４の間を搬送された用紙に印字する。印字部２２は、例えば、ドットマトリクスヘッドである。
【００１７】
上部用紙搬送ガイド２３は、樹脂材料により構成される。図８に示すように、上部用紙搬送ガイド２３は、フレーム２１及び印字部２２の周囲を覆う。上部用紙搬送ガイド２３は、筐体１１の側方であって、且つ、下部用紙搬送ガイド２４の上方に配置される。上部用紙搬送ガイド２３は、下方側から側方まで、下部用紙搬送ガイド２４及び筐体１１と所定の隙間を有して対向する。なお、上部用紙搬送ガイド２３及び下部用紙搬送ガイド２４と対向する隙間は、用紙及び作業者の手指が配置可能な幅に構成される。また、上部用紙搬送ガイド２３及び筐体１１の隙間は、用紙が配置可能、且つ、用紙に印字部２２で印字可能な幅に構成される。
【００１８】
また、上部用紙搬送ガイド２３は、下面の一部にストッパー２３ａを有する。ストッパー２３ａは、上方から外力が印加し、被支持部２１ａを中心にフレーム２１の保持部２１ｂが下方に回転するように変形したときであって、且つ、フレーム２１が弾性変形する領域にあるときに、下部用紙搬送ガイド２４と当接する。
【００１９】
ストッパー２３ａは、保持部２１ｂの被支持部２１ａ側の端部とは反対側の端部側の、上部用紙搬送ガイド２３の下面に設けられる。換言すると、ストッパー２３ａは、上部用紙搬送ガイド２３の下面であって、且つ、上方からの外力によってフレーム２１が変形するときに、保持部２１ｂの回転中心からから離れた位置に設けられる。
【００２０】
ストッパー２３ａは、下端形状が水平方向に延びる平面状に構成されるとともに、側面形状が用紙の搬送方向に対して傾斜する形状に構成される。即ち、ストッパー２３ａは、上部用紙搬送ガイド２３の下面から先端に向かって用紙の搬送方向の幅が漸次小さくなり、そして、先端が平面状に構成される。また、ストッパー２３ａは、下部用紙搬送ガイド２４の上面のストッパー２３ａと対向する部位との間に、用紙が挿入可能な隙間を構成する。ストッパー２３ａの上部用紙搬送ガイド２３の下面からの高さは、フレーム２１が上方から印加された外力によって下方へ回転するように変形したときに、フレーム２１が弾性変形する領域において、下部用紙搬送ガイド２４と当接可能な高さであれば、適宜設定できる。ストッパー２３ａは、例えば、上部用紙搬送ガイド２３の端部側であって、且つ、筐体１１側の下面に設けられる。
【００２１】
下部用紙搬送ガイド２４は、樹脂材料により構成される。下部用紙搬送ガイド２４は、筐体１１に設けられる。下部用紙搬送ガイド２４は、上部用紙搬送ガイド２３の下方から印字部２２の下方までの範囲と対向する。下部用紙搬送ガイド２４は、筐体１１に固定される。下部用紙搬送ガイド２４は、印字部２２及び上部用紙搬送ガイド２３と所定の間隔を有して筐体１１に設けられる。具体例として、図９に示すように、下部用紙搬送ガイド２４の上面は、上部用紙搬送ガイド２３の下面の正面側が水平方向に延びる平面上に構成されるとともに、上部用紙搬送ガイド２３の下面の中央側から所定の曲率半径の四半円柱状の曲面に構成される。
【００２２】
即ち、上部用紙搬送ガイド２３及び下部用紙搬送ガイド２４の間の隙間は、使用者の手指が挿入可能に印字装置１の正面側において大きく、上部用紙搬送ガイド２３の前後方向で中央側から背面側に向かって漸次小さく構成される。
【００２３】
また、下部用紙搬送ガイド２４は、上面の上部用紙搬送ガイド２３のストッパー２３ａと重力方向で対向する位置に、ストッパー２３ａを受ける受け部２４ａを有する。受け部２４ａは、被支持部２１ａを中心にフレーム２１の保持部２１ｂが下方に回転するように変形したときであって、且つ、フレーム２１が弾性変形する領域にあるときに、ストッパー２３ａと当接し、ストッパー２３ａの移動を規制する。受け部２４ａは、ストッパー２３ａと当接する上面の面方向が水平方向に延びる。例えば、受け部２４ａは、下部用紙搬送ガイド２４の曲面状の部位に配置され、ストッパー２３ａと当接する面が平面状に構成される。
【００２４】
このように構成された印字装置１によれば、上部用紙搬送ガイド２３が筐体１１及び下部用紙搬送ガイド２４と隙間を有して配置されるとともに、フレーム２１の印字部２２及び上部用紙搬送ガイド２３を保持する保持部２１ｂが片持ち構造である。このため、印字装置１は、第２印字装置１３の一方の側方及び前方が当該隙間によって開口する。即ち、第２印字装置１３は、前方に開口部１３ａが、側方にスリット１３ｂが構成され、用紙を配置及び搬送し、印字部２２において印字するための、印字装置１の前方から上方に延びる用紙の搬送路を含む。このため、使用者が、第２印字装置１３の前方から用紙を挿入し、用紙の印字する領域を印字部２２に対向させて、印字のための外部指令を印字装置１に行うことで、第２印字装置１３は、用紙に印字することが可能となる。
【００２５】
また、このような印字装置１は、第２印字装置１３が用紙を挿入及び配置可能に開口及びスリット１３ｂを有する構成であるため、第２印字装置１３のフレーム２１が片持ち構造を有する。このため、第２印字装置１３の上方から衝撃や荷重等の外力が印加された場合に、フレーム２１の保持部２１ｂが被支持部２１ａを中心に下方へと回転するように変形する。しかし、第２印字装置１３は、上部用紙搬送ガイド２３にストッパー２３ａを有し、下部用紙搬送ガイド２４に受け部２４ａを有する。このため、保持部２１ｂが下方へと変形した場合に、保持部２１ｂが弾性変形する範囲にあるときに、ストッパー２３ａが受け部２４ａと当接し、上部用紙搬送ガイド２３の移動、即ち、フレーム２１の変形が規制される。
【００２６】
即ち、ストッパー２３ａが受け部２４ａに当接した状態におけるフレーム２１の変形は、弾性変形による変形が行われる領域内に留まり、塑性変形することを防止できる。換言すると、ストッパー２３ａが受け部２４ａに当接するまでのフレーム２１の変形量は、弾性変形はするが、塑性変形までは至らない量である。結果、第２印字装置１３への外力の印加が解除されると、フレーム２１はもとの形状に復元する。このように、印字装置１は、片持ち構造のフレーム２１の変形量をストッパー２３ａにより規制することで、フレーム２１が塑性変形することによる不具合が生じることを防止できる。
【００２７】
また、ストッパー２３ａは、用紙の搬送方向の面が傾斜する構成であることから、搬送する用紙がストッパー２３ａにあたった場合であっても、当該傾斜する面が用紙を下方に案内するため、ストッパー２３ａによって開口部１３ａから挿入された用紙の搬送を阻害することを防止できる。
【００２８】
また、ストッパー２３ａ及び受け部２４ａの当接する面が平面に構成されることから、受け部２４ａは確実にストッパー２３ａの移動を規制できる。このため、第２印字装置１３は、ストッパー２３ａが受け部２４ａから脱落して、フレーム２１が塑性変形する領域まで変形することを防止できる。
【００２９】
上述したように本実施形態に係る印字装置１によれば、片持ち構造のフレーム２１を有する第２印字装置１３であっても、フレーム２１が弾性変形する変形量を超えるフレーム２１の変形をストッパー２３ａにより規制する。このため、印字装置１は、外力が印加された場合であっても、片持ち構造のフレーム２１が塑性変形することを防止できる。
【００３０】
なお、実施形態は上述した例に限定されない。例えば、上述したストッパー２３ａ及び受け部２４ａの位置は上記位置に限定されない。例えば、ストッパー２３ａ及び受け部２４ａは、フレーム２１が筐体１１に固定される側に設けられても良い。また、受け部２４ａが下部用紙搬送ガイド２４の上面が平面状の部位に設けられていても良い。ただし、上記実施形態の構成とすることで、ストッパー２３ａは、回転する方向にフレーム２１の保持部２１ｂが移動した場合に、同じ回転角度であっても、保持部２１ｂの下方への移動量が大きいことから、ストッパー２３ａの高さが低くてよい。このため、ストッパー２３ａの高さが低くなる位置にストッパー２３ａを配置することが好ましい。
【００３１】
以上述べた少なくともひとつの実施形態の印字装置によれば、外力が印加された場合であっても、片持ち構造のフレーム２１が塑性変形することを防止できる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…印字装置、１１…筐体、１２…第１印字装置、１３…第２印字装置、１３ａ…開口部、１３ｂ…スリット、２１…フレーム、２１ａ…被支持部、２１ｂ…保持部、２２…印字部、２３…上部用紙搬送ガイド、２３ａ…ストッパー、２４…下部用紙搬送ガイド、２４ａ…受け部、２５…カバー。
【図１】
2018196976.tif 000003
【図２】
2018196976.tif 000004
【図３】
2018196976.tif 000005
【図４】
2018196976.tif 000006
【図５】
2018196976.tif 000007
【図６】
2018196976.tif 000008
【図７】
2018196976.tif 000009
【図８】
2018196976.tif 000010
【図９】
2018196976.tif 000011